(57)【要約】      （修正有）【課題】付箋を保護してその有効使用率を向上させ、かつ、しおり本体の厚みを、しおりとしての機能を発揮するに好適な許容値以下にしても、付箋の使用度数を高めることができる付箋を内蔵したしおりを提供する。【解決手段】スリットがある表シート２０と、その裏面に貼着されスリットに連通する付箋収容部を有する中板２１と、中板２１の裏面に貼着され中板２１を表シート２０とで挟む裏シート２２と、からなる三層構造のしおり本体２と、複数付箋片３００の自由端部と基端部の位置を交互に反転して積層した積層体からなり、上側の付箋片の基端部に塗布した糊を下側の付箋片の自由端部に剥離可能に貼着した付箋３とを備え、付箋３は、最上位の付箋片の自由端部をスリットから表シート２０上に引き出した状態で付箋収容部に収容されている。【選択図】図２
0003205967.tif 000002
【実用新案登録請求の範囲】
【請求項１】
付箋片取り出し用のスリットを設けた表シートと、この表シートの裏面に貼着されて当該表シートにより覆われるとともに、前記スリットに連通する付箋収容部がくり貫き形成された中板と、この中板の裏面に貼着されて当該中板を前記表シートとで挟むとともに、前記付箋収容部を覆う裏シートと、からなる三層構造のしおり本体と、
複数枚の付箋片の積層体からなり、かつ、各付箋片は自由端部と基端部の位置を交互に反転させた姿勢で積層されていて、上側の付箋片の基端部の下面に塗布されている糊が下側の付箋片の自由端部の上面に剥離可能に貼着されている付箋と、を備え、
この付箋は、最上位の付箋片の自由端部が前記スリットから表シート上に引き出された待機姿勢で前記中板の付箋収容部に収容されていることを特徴とする付箋を内蔵したしおり。
【請求項２】
請求項１に記載した付箋を内蔵したしおりにおいて、
前記中板の厚みが０．５ｍｍから１ｍｍの間に設定されている付箋を内蔵したしおり。
【請求項３】
請求項１または２に記載した付箋を内蔵したしおりにおいて
前記中板の付箋収容部に、複数の前記付箋が横並びで収容されている付箋を内蔵したしおり。
【考案の詳細な説明】
【技術分野】
【０００１】
本考案は、付箋の使用が可能であるとともに、しおりとして使用することもできる付箋を内蔵したしおりに関する。
【背景技術】
【０００２】
従来、付箋の使用が可能であるとともに、しおりとして使用することもできるものとして、特許文献１に記載の付箋を備えたしおりが提供されている。この付箋を備えたしおりを図１１に示す。
【０００３】
図１１において、付箋を備えたしおりＳは、厚紙からなる短冊状の紙片１０の表面に、複数の付箋１１を自ら有する接着剤（糊）１２により直列貼着して露出させたもので、紙片１０の大きさと、各付箋１１の大きさおよび各付箋１１を構成している付箋片の枚数などは任意であり、装飾リボン１３が紙片１０の上端部に設けた孔１４を利用して取り付けられている。
【０００４】
前記構成の付箋を備えたしおりＳは、しおりとして使用できる他に、各付箋１１から付箋片を１枚ずつ剥ぎ取って付箋として使用することもでき、付箋１１が無くなった後は、しおりとして継続使用することができる。
【０００５】
ところが、付箋１１が残存している状態で本のページ間などに挿し込んで、しおりとして使用すると、多数枚の付箋片が頻繁に本のページ（他の部材）と接触することとなり、付箋片に折れ皺が生じたり、カールが付いたりあるいは破れたりして、付箋１１の有効使用率が大幅に低下する問題が生じる。
【０００６】
一方、しおりＳの厚みは、しおりとしての機能を発揮するに好適な許容値以下に制約される。しかし、各付箋１１の大きさおよび各付箋１１を構成する付箋片の枚数などは任意であるとされているので、各付箋１１における付箋片の枚数を増やして、付箋の使用度数を高めることができる反面、その厚みは前記許容値を超える領域にまで増大する。よって、使い勝手が悪くなるとともに、本のページ間などに挿し込むと、ページ間の開き量が大きくなり過ぎて、最早、しおりとしての体をなさなくなる。
【先行技術文献】
【特許文献】
【０００７】
【特許文献１】実用新案登録第３０８２５８２号公報
【考案の概要】
【考案が解決しようとする課題】
【０００８】
本考案は、上記の実情に鑑みてなされたもので、付箋を保護してその有効使用率を向上させ、かつ、しおり本体の厚みを、しおりとしての機能を発揮するに好適な許容値以下にしても、付箋の使用度数を高めることができる付箋を内蔵したしおりの提供を目的とするものである。
【課題を解決するための手段】
【０００９】
前記目的を達成するために、本考案に係る付箋を内蔵したしおりは、付箋片取り出し用のスリットを設けた表シートと、この表シートの裏面に貼着されて当該表シートにより覆われるとともに、前記スリットに連通する付箋収容部がくり貫き形成された中板と、この中板の裏面に貼着されて当該中板を前記表シートとで挟むとともに、前記付箋収容部を覆う裏シートと、からなる三層構造のしおり本体と、
複数枚の付箋片の積層体からなり、かつ、各付箋片は自由端部と基端部の位置を交互に反転させた姿勢で積層されていて、上側の付箋片の基端部の下面に塗布されている糊が下側の付箋片の自由端部の上面に剥離可能に貼着されている付箋と、を備え、
この付箋は、最上位の付箋片の自由端部が前記スリットから表シート上に引き出された待機姿勢で前記中板の付箋収容部に収容されていることを特徴としている。
【００１０】
前記構成の付箋を内蔵したしおりにおいて、使用前段の付箋は、最上位の付箋片の自由端部のみがスリットから表シート上に引き出され、最上位の付箋片の基端部を含む二枚目以下の各付箋片は、付箋収容部に収容され、かつ、表シートと裏シートとで覆われた状態で保護される。これにより、各付箋片と本のページなどの他の部材との接触が避けられて、各付箋片に折れ皺が生じたり、カールが付いたりあるいは破れるような不都合の発生が防止されて、付箋の有効使用率が向上する。
【００１１】
スリットから表シート上に引き出されている最上位の付箋片（１番目の付箋片）の自由端部を指先で摘んで引っ張ると、この付箋片の基端部は、次の付箋片（２番目の付箋片）の自由端部を糊により貼着した状態でスリットから表シート上に引き出される。１番目の付箋片の自由端部をさらに引っ張ると、その基端部は２番目の付箋片の自由端部から引き剥がされ、付箋として使用可能な状態で取り出される。１番目の付箋片の基端部が引き剥がされた２番目の付箋片の自由端部は、方向が反転して表シート上に引き出される。つまり、表シート上に引き出されている付箋片の自由端部を引っ張ることで、引っ張られた付箋片が付箋として使用可能な状態で取り出されるとともに、この付箋片の次に続く付箋片の自由端部は方向転換して表シート上に引き出されて待機することとなる。よって、引き出し方向が交互に反転して表シート上に引き出される付箋片の自由端部を引っ張る操作を繰り返すことで、付箋収容部から複数の付箋片を付箋として使用可能な状態に分離して順次取り出すことができる、また、付箋として取り出される前段の付箋片は、付箋収容部に収容され、かつ、表シートと裏シートとで覆われた状態で保護されるので、付箋の有効使用率が向上する。付箋が無くなった後のしおり本体は、しおりとして継続使用することができる。
【００１２】
一方、しおり本体が表シートと裏シートとで中板を挟んだ三層構造のものであることから、表シートと裏シートとを薄手の紙片などで構成し、中板を表シートと裏シートよりも厚手の厚紙などで構成することにより、しおり本体の厚みを、しおりとしての機能を発揮するのに好適な許容値以下に設定することが容易である。
【００１３】
前記中板の厚みが０．５ｍｍから１ｍｍの間に設定されている。これによれば、例えば１枚の厚みが３８μ（０．０３８ｍｍ）の樹脂フィルムからなる付箋片を１０枚〜２０枚程度積層して付箋を構成し、この付箋を付箋収容部に収容することが可能となる。その結果、三層構造のしおり本体の厚みを、しおりとしての機能を発揮するに好適な許容値以下にする制約のもと、付箋の使用度数を使用者に満足感を与え得る１０枚〜２０枚のレベルにまで高めることができる。
【００１４】
前記中板の付箋収容部に、複数の付箋が横並びで収容されている。これによると、横並びの数量相当分、付箋の使用度数が増大されるので、三層構造のしおり本体２の厚みを、しおりとしての機能を発揮するに好適な許容値以下にする制約のもと、付箋の使用度数を使用者に満足感を与え得るレベルにまで高めることができる。
【考案の効果】
【００１５】
本考案の付箋を内蔵したしおりによれば、付箋を保護してその有効使用率を向上させ、かつ、しおり本体の厚みを、しおりとしての機能を発揮するに好適な許容値以下にしても、付箋の使用度数を高めることができる。
【図面の簡単な説明】
【００１６】
【図１】本考案に係る付箋を内蔵したしおりの一実施形態を示す正面図である。
【図２】図１の左側面図である。
【図３】図１の背面図である。
【図４】中板貼着前段の表シートの裏面図である。
【図５】中板の正面図である。
【図６】中板貼着前段の裏シートの正面図である。
【図７】付箋の一実施形態を付箋片の展開姿勢で示す説明図である。
【図８】表シートの位置を上位に位置決めした姿勢で付箋の収容状態を示す拡大断面図である。
【図９】裏シートの背面側に投げ込みシートを取り付けた状態を示す背面図である。
【図１０】表シートの位置を上位に位置決めした姿勢でなされる付箋片の取り出し手順の説明図であり、図１０（ａ）は第１手順の説明図、図１０（ｂ）は第２手順の説明図、図１０（ｃ）は第３手順の説明図、図１０（ｄ）は第４手順の説明図、図１０（ｅ）は第５手順の説明図である。
【図１１】従来例の説明正面図である。
【考案を実施するための最良の形態】
【００１７】
以下、本考案に係る付箋を内蔵したしおりの好ましい実施例を図面に基づいて説明する。
図１は本考案に係る付箋を内蔵したしおりの一実施形態を示す正面図、図２は図１の左側面図、図３は図１の背面図、図４は中板貼着前段の表シートの裏面図、図５は中板の正面図、図６は中板貼着前段の裏シートの正面図、図７は付箋の一実施形態を付箋片の展開姿勢で示す説明図、図８は表シートの位置を上位に変換した姿勢で付箋の収容状態を示す拡大断面図である。
【００１８】
図１〜図３において、付箋を内蔵したしおり１は、三層構造のしおり本体２と、付箋３と、を備えている。
【００１９】
三層構造のしおり本体２は、表シート２０と、表シート２０の裏面に貼着される中板２１と、この中板２１の裏面に貼着されて当該中板２１を表シート２０とで挟む裏シート２２とからなり、表シート２０と裏シート２２は薄手で同じ厚みの紙片で構成され、中板２１は表シート２０と裏シート２２よりも厚手の厚紙で構成されているとともに、表シート２０、中板２１および裏シート２２の三部材は、形と大きさが同一で重ね合せ得る熊の立ち姿を模して形成されている。
【００２０】
図１に示すように、表シート２０は、表面の顔の部分に両目と、鼻および口などが印刷されており、胸の下端部付近には、横幅ｗ１が２７ｍｍで３ｍｍの縦寸法ｌ１を有して開口する水平横長のスリット２０ａが貫通形成され、かつ、一方の耳を貫通して孔２０ｂを設けてある。
【００２１】
図５に示すように、中板２１には、その胴部の上端部付近から下端部付近にかけて縦長・幅狭長方形の付箋収容部２１ａがくり貫き形成されており、一方の耳を貫通して孔２１ｂを設けてある。なお、本実施形態において、中板２１の厚みは０．８ｍｍに設定され、付箋収容部２１ａの縦寸法Ｌは５６ｍｍに、横幅Ｗは２６ｍｍにそれぞれ設定されていて、後述する手法により表シート２０の裏面に中板２１が貼着されると、付箋収容部２１ａはスリット２０ａに連通する。
【００２２】
図４に示すように、表シート２０の裏面には、その全面に糊（図示省略）が塗布されており、この糊は第１剥離紙４により覆われている。第１剥離紙４は、後述する手法により表シート２０の裏面に中板２１が貼着された場合に、付箋収容部２１ａが覆われる主として長方形の付箋収容部被覆部位４０と、上体側の剥離部４１および下体側の剥離部４２とからなり、これらは破線で示す切れ目５を境に互いに隣接しているとともに、付箋収容部被覆部位４０には、スリット２０ａの形と大きさが同一で重なり合って互いに連通するスリット４０ａが貫通形成されている。なお、本実施形態では、第１剥離紙４を除く表シート２０の厚みは０．１ｍｍに設定されている。
【００２３】
図６に示すように、裏シート２２の表面（図３における表シート２０側の面）には、その全面に糊（図示省略）が塗布されており、この糊は第２剥離紙６により覆われている。第２剥離紙６は、後述する手法により裏シート２２の表面に中板２１が貼着された場合に、換言すると中板２１の裏面に裏シート２２が貼着された場合に、付箋収容部２１ａが覆われる長方形の付箋収容部被覆部位６０と、上体側の剥離部６１および下体側の剥離部６２とからなり、これらは破線で示す切れ目７を境に互いに隣接している。また、一方の耳を貫通して孔２２ａを設けてある。なお、本実施形態では、第２剥離紙６を除く裏シート２２の厚みは０．１ｍｍに設定されている。
【００２４】
図１，図７に示すように、一冊の付箋３は、縦寸法Ｌ１が４４ｍｍ、横幅Ｗ１が１２ｍｍで、厚みが３８μ（０．０３８ｍｍ）の短冊状の樹脂フィルムからなる複数枚（本実施形態では２０枚）の付箋片３００〜３１９の積層体（ただし、図７には、途中の付箋片を省略し、付箋片３００（１枚目）から付箋片３０４（５枚目）と付箋片３１４（１５枚目）から付箋片３１９（２０枚目）を表すことにより、付箋片３００〜３１９の積層を解いて展開した付箋３が示されている）により構成される。図７に示すように、各付箋片３００〜３１９は、その自由端部３００ａ〜３１９ａと基端部３００ｂ〜３１９ｂの位置を交互に反転させた姿勢で、上側の付箋片３００〜３１８の基端部３００ｂ〜３１８ｂの下面に塗布されている糊３Ａが、下側の付箋片３０１〜３１９の自由端部３０１ａ〜３１９ａの上面に剥離可能に貼着されている。なお、付箋片３１９の基端部３１９ｂの下面に塗布されている糊３Ａは、バックシート４００の上面に剥離可能に貼着されている。バックシート４００は粘着剤を保有していない短冊状の樹脂フィルムからなり、投影平面が前記付箋片３００〜３１９と合同の短冊状に設定されている。バックシート４００は無くとも良い。
【００２５】
つぎに、付箋を内蔵したしおり１の組み立て手順について説明する。
まず、図４に示す表シート２０の裏面を覆っている第１剥離紙４において、付箋収容部被覆部位４０以外の上体側の剥離部４１および下体側の剥離部４２を、破線で示す切れ目５を利用して表シート２０の裏面から剥ぎ取って、前記図示していない糊を露出させる。ついで、表シート２０の裏面に中板２１を合致させ、前記露出した糊を利用して表シート２０の裏面に中板２１貼着する。これにより、中板２１の付箋収容部２１ａは付箋収容部被覆部位４０により覆われ、スリット２０ａとスリット４０ａは付箋収容部２１ａに連通し、かつ、孔２０ｂと孔２１ｂが同心で互いに連通する。
【００２６】
一方、図７に示す一冊の付箋３を二冊用意し、これらを横並びの状態で中板２１の裏側から付箋収容部２１ａに収容するとともに、その収容の過程で、図１に示すように、二冊の付箋３，３それぞれの最上位の付箋片３００の自由端部３００ａおよびその近傍を、スリット４０ａとスリット２０ａを通して表シート２０上に引き出す。
【００２７】
つぎに、図６に示す裏シート２２の表面を覆っている第２剥離紙６において、付箋収容部被覆部位６０以外の上体側の剥離部６１および下体側の剥離部６２を、破線で示す切れ目７を利用して裏シート２２の表面から剥ぎ取って、前記図示していない糊を露出させる。ついで、裏シート２２の表面に中板２１を合致させ、前記露出した糊を利用して裏シート２２の表面に中板２１を貼着する。これにより、中板２１の付箋収容部２１ａは付箋収容部被覆部位６０により覆われ、図８に示すように、二冊の付箋３，３（ただし、図８では、一冊の付箋３のみが示されている）は、最上位の付箋片３００の自由端部３００ａおよびその近傍がスリット４０ａとスリット２０ａを通して表シート２０上に引き出され、それ以外は付箋収容部２１ａに収容されてなる付箋を内蔵したしおり１（図１参照）が構成される。また、この状態で、三つの孔２０ｂ，２１ｂ，２２ａが同心で互いに連通することとなる。
【００２８】
前記構成の付箋を内蔵したしおり１は、裏シート２２の裏側に、図９に示す薄紙からなる投げ込みシート８を取り外し自在に添付し、かつ、図示していない透明樹脂フィルム製の袋に収納した形態で、商品として陳列・販売などに供される。本実施形態における投げ込みシート８は、前記表シート２０，中板２１および裏シート２２の形と大きさが同一で重ね合せ得る熊の立ち姿を模して形成されており、その裏面に、付箋を内蔵したしおり１の特性や使用上の注意あるいは社名、通信用の番号、バーコードなどが適宜印刷されており、一方の耳に設けた孔８ａを前記各孔２０ｂ，２１ｂ，２２ａと同心に連通させ、ここに装飾紐９を通して括り付けることで取り外し自在に添付されている。
【００２９】
つぎに、付箋３の使用に際する付箋片の取り出し手順について説明する。
図１０は、表シートの位置を上位に位置決めした姿勢でなされる付箋片の取り出し手順の説明図であり、図１０（ａ）は第１手順の説明図、図１０（ｂ）は第２手順の説明図、図１０（ｃ）は第３手順の説明図、図１０（ｄ）は第４手順の説明図、図１０（ｅ）は第５手順の説明図である。
【００３０】
図１０（ａ）において、付箋３における最上位の付箋片３００の自由端部３００ａを指先で摘んで、当該自由端部３００ａが引き出されている矢印Ｐ１方向よりもやや上向きに引っ張ると、最上位の付箋片３００は、図１０（ｂ）に示すように、その基端部３００ｂに二枚目の付箋片３０１の自由端部３０１ａを糊３Ａにより貼着し、かつ、当該自由端部３０１ａの近傍を矢印Ｐ１方向に弾性屈曲させた状態でスリット２０ａから表シート２０上に引き出される。ここで、付箋収容部被覆部位４０に二枚目の付箋片３０１の一部が強く接触し、この接触部位に糊３Ａの粘着力よりも大きい抵抗が生じる。このため、図１０（ｂ）の状態からさらに最上位の付箋片３００の自由端部３００ａを矢印Ｐ１方向よりもやや上向きに引っ張ると、その基端部３００ｂは二枚目の付箋片３０１の自由端部３０１ａから引き剥がされ、付箋３として使用可能な状態で取り出される。
【００３１】
同時に、二枚目の付箋片３０１の自由端部３０１ａ近傍の弾性屈曲が解かれるので、二枚目の付箋片３０１の自由端部３０１ａは、図１０（ｃ）に示すように、矢印Ｐ２方向に反転して表シート２０上に引き出され、二枚目の付箋片３０１の図示されていない基端部３０１ｂを含む三枚目以下の各付箋片は、付箋収容部２１ａに収容され、かつ、表シート２０と裏シート２２（図示省略）とで覆われた状態、詳しくは、表シート２０側の付箋収容部被覆部位４０と図示されていない裏シート２２側の付箋収容部被覆部位６０とで覆われた状態で保護される。
【００３２】
続いて付箋３を使用する場合、図１０（ｃ）において、二枚目の付箋片３０１の自由端部３０１ａを指先で摘んで、当該自由端部３０１ａが引き出されている矢印Ｐ２方向よりもやや上向きに引っ張ると、二枚目の付箋片３０１は、図１０（ｄ）に示すように、その基端部３０１ｂに三枚目の付箋片３０２の自由端部３０２ａを糊３Ａにより貼着し、かつ、当該自由端部３０２ａの近傍を矢印Ｐ２方向に弾性屈曲させた状態でスリット２０ａから表シート２０上に引き出される。ここで、付箋収容部被覆部位４０に三枚目の付箋片３０２の一部が強く接触して、この接触部位に糊３Ａの粘着力よりも大きい抵抗が生じる。このため、図１０（ｄ）の状態からさらに二枚目の付箋片３０１の自由端部３０１ａを矢印Ｐ２方向よりもやや上向きに引っ張ると、その基端部３０１ｂは三枚目の付箋片３０２の自由端部３０２ａから引き剥がされ、付箋３として使用可能な状態で取り出される。
【００３３】
同時に、三枚目の付箋片３０２の自由端部３０２ａ近傍の弾性屈曲が解かれるので、三枚目の付箋片３０２の自由端部３０２ａは、図１０（ｅ）に示すように、矢印Ｐ１方向に反転して表シート２０上に引き出され、三枚目の付箋片３０２の図示されていない基端部３０２ｂを含む四枚目以下の各付箋片は、付箋収容部２１ａに収容され、かつ、表シート２０と裏シート２２（図示省略）とで覆われた状態、詳しくは、表シート２０側の付箋収容部被覆部位４０と図示されていない裏シート２２側の付箋収容部被覆部位６０とで覆われた状態で保護される。
【００３４】
すなわち、表シート２０上に引き出されている付箋片の自由端部を引っ張ることで、引っ張られた付箋片が付箋３として使用可能な状態で取り出されるとともに、この付箋片の次に続く付箋片の自由端部は方向転換して表シート２０上に引き出されて待機することとなる。よって、引き出し方向が交互に反転（矢印Ｐ１→矢印Ｐ２→矢印Ｐ１……）して表シート２０上に引き出される付箋片の自由端部を引っ張る操作を繰り返すことで、付箋収容部２１ａから複数の付箋片３００〜３１９を付箋３として使用可能な状態に分離して順次取り出すことができる。また、付箋３として取り出される前段の付箋片は、付箋収容部２１ａに収容され、かつ、表シート２０と裏シート２２とで覆われた状態、詳しくは、表シート２０側の付箋収容部被覆部位４０と裏シート２２側の付箋収容部被覆部位６０とで覆われた状態で保護されるので、付箋３の有効使用率が向上する。
【００３５】
本考案は、中板２１の厚みが０．５ｍｍから１ｍｍの間（本実施形態では０．８ｍｍ）に設定される。これによれば、１枚の厚みが３８μ（０．０３８ｍｍ）の樹脂フィルムからなる付箋片３００，３０１，３０２…を１０枚〜２０枚程度（本実施形態では２０枚）積層して付箋３を構成し、この付箋３を付箋収容部２１ａに収容することが可能となる。その結果、三層構造のしおり本体２の厚みを、しおりとしての機能を発揮するに好適な許容値（１．２５ｍｍ）以下にする制約のもと、付箋３の使用度数を使用者に満足感を与え得る１０枚〜２０枚のレベル（本実施形態では２０枚のレベル）にまで高めることができる。
【００３６】
なお、中板２１の厚みを本実施形態では０．８ｍｍに設定しているが、これを例えば０．６７ｍｍとして設定しても良い。この場合、１枚の厚みが３８μ（０．０３８ｍｍ）の樹脂フィルムからなる付箋片３００，３０１，３０２…を２０枚積層して付箋３を構成した場合、付箋３の厚みは７６０μ（０．７６）ｍｍとバックシート分となり、中板２１の厚みよりも付箋３の厚みがやや大きくなるが、中板２１の厚みに対する付箋３の厚みの超過がこの程度であれば、付箋３を付箋収容部２１ａに収容することが可能であり、この場合、付箋収容部２１ａを覆う表シート２０と裏シート２２が本体２の厚み方向に膨れることにより、付箋３を付箋収容部２１ａに収容することが可能となる。そして、付箋片３００，３０１，３０２…を４枚程度使用すれば、前記膨らみは無くなり、本体２本来の厚みとなる。
【００３７】
本考案は、中板２１の付箋収容部２１ａに、複数（本実施形態では二冊）の付箋３が横並びで収容されている。これによると、横並びの数量相当分、付箋３の使用度数が増大されるので、三層構造のしおり本体２の厚みを、しおりとしての機能を発揮するに好適な許容値（１．２５ｍｍ）以下にする制約のもと、付箋３の使用度数を使用者に満足感を与え得るレベル（本実施形態では二冊で４０枚のレベル）にまで高めることができる。
【００３８】
本考案に係る付箋を内蔵したしおり１は、前記実施形態のみに限定されるものではなく、その趣旨および技術思想を逸脱しない範囲であれば、構造変形が可能である。
【産業上の利用可能性】
【００３９】
本考案の付箋を内蔵したしおりは、しおり本体をしおりとして使用している過程で付箋の使用が生じた場合、手元操作により付箋を使用できるので、離れた場所へ移動して付箋を手にする無駄な動きを省くことができる。
【符号の説明】
【００４０】
１  付箋を内蔵したしおり
２  三層構造のしおり本体
２０  表シート
２０ａ  スリット
２１  中板
２１ａ  付箋収容部
２２  裏シート
３  付箋
３Ａ  糊
３００〜３１９  付箋片
３００ａ〜３１９ａ  自由端部
３００ｂ〜３１９ｂ  基端部
【図１】
0003205967.tif 000003
【図２】
0003205967.tif 000004
【図３】
0003205967.tif 000005
【図４】
0003205967.tif 000006
【図５】
0003205967.tif 000007
【図６】
0003205967.tif 000008
【図７】
0003205967.tif 000009
【図８】
0003205967.tif 000010
【図９】
0003205967.tif 000011
【図１０】
0003205967.tif 000012
【図１１】
0003205967.tif 000013